(57)【特許請求の範囲】
【請求項１】
表示パネルと制御ユニットを有し、前記制御ユニットが表示データと伝送データを受信し、且つ前記表示データと前記伝送データを前記表示パネルに伝送するビジョンインタフェース装置と、
キャプチャーユニットを有する操作装置とを備え、
前記表示パネルは、アクティブマトリクス表示パネルであるとともに、交差して設置された複数のデータ線と複数の走査線を備え、
前記制御ユニットは、前記伝送データを前記アクティブマトリクス表示パネルにおける異なる箇所の走査線に同時に伝送し、前記操作装置を前記ビジョンインタフェース装置に触れたり、近づいたりして操作する時、前記表示データと前記伝送データを有するカップリング信号は前記アクティブマトリクス表示パネルの一箇所の走査線から前記操作装置にカップリングされ、前記操作装置は前記キャプチャーユニットを介して前記カップリング信号から前記伝送データを取得することを特徴とするデータ伝送システム。
【請求項２】
前記制御ユニットは、前記伝送データを前記アクティブマトリクス表示パネルにおける異なるデータ線に伝送し、前記操作装置を前記ビジョンインタフェース装置に触れたり、近づいたりして操作する時、前記カップリング信号は前記アクティブマトリクス表示パネルの一箇所のデータ線から前記操作装置にカップリングされることを特徴とする、請求項１に記載のデータ伝送システム。
【請求項３】
前記カップリング信号は、少なくとも１つのタグを備え、前記操作装置は前記タグによって、前記伝送データを識別することを特徴とする請求項１または請求項２に記載のデータ伝送システム。
【請求項４】
前記タグは、前記伝送データの起始点、または終了点、またはデータの長さのうちの少なくとも１つを標示することを特徴とする請求項３に記載のデータ伝送システム。
【請求項５】
前記タグは、前記表示データの起始点、または終了点、またはデータの長さのうちの少なくとも１つを標示することを特徴とする請求項３に記載のデータ伝送システム。
【請求項６】
前記タグは、前記ビジョンインタフェース装置の識別情報、または前記操作装置の識別情報、またはエラー訂正コードのうちの少なくとも１つを備えることを特徴とする請求項３に記載のデータ伝送システム。
【請求項７】
前記タグを有する前記伝送データと前記表示データの信号形式の差異は、振幅、周波数、位相、時間、帯域幅、またはデータ形式の差異であることを特徴とする請求項３に記載のデータ伝送システム。
【請求項８】
前記キャプチャーユニットは、前記伝送データと前記表示データの周波数、伝送時間、位相、または振幅の差異によって、前記伝送データの取得を行うことを特徴とする請求項１または請求項２に記載のデータ伝送システム。
【請求項９】
前記制御ユニットは、前記表示データに対してタグを追加、及び／または伝送データに対して他のタグを追加し、前記キャプチャーユニットは、前記タグ及び／または前記他のタグに基づいて、前記表示データ及び前記伝送データを区別することを特徴とする請求項１または請求項２に記載のデータ伝送システム。
【発明の詳細な説明】
【技術分野】
【０００１】
本発明は、データ伝送システムに関するものである。
【背景技術】
【０００２】
近年、消費性電子製品の応用性を拡大させるために、業界では電子装置の製品に近距離通信（または、近距離無線通信）機能を追加し始めている。その場合における近距離通信（または、近距離無線通信）は、実際の回路接続をせずに、例えば、コマンド、音楽、写真、名刺、データ、またはファイルなどの情報を電子装置から他の電子装置に伝送する伝送ルートを提供することができる。これにより、電子装置に伝送の利便性を付与するだけでなく、その応用性をも向上させることができ、例えば、アクセス制御、チケット、入場券、クレジットカード決済などのために頻繁に使用されていたＩＣカードに取って代わることができる。また、売り場のスクリーンからブルートゥース通信を介してクーポンを受け取るなどの広告メッセージを受信する場合にも応用される。
【０００３】
近距離通信機能を有する電子装置の製品は、ますます必然的な傾向となっている。従って、如何に新しい構造の近距離通信機能を有する電子装置を提供するかがこの業界のメーカーが積極的に解決しようとしている課題である。
【発明の概要】
【発明が解決しようとする課題】
【０００４】
上記の課題に鑑て、本発明の目的は、新しい構造のデータ伝送システムを提供することにある。このデータ伝送システムにおいては、表示用データと伝送用データを処理した後、それらをビジョンインタフェース装置の表示パネルに伝送することができるため、ビジョンインタフェース装置によって、画像画面を表示できる以外に、更にビジョンインタフェース装置によって、データ、またはファイルなどの伝送データを他の電子装置に伝送してから、他の電子装置のキャプチャー処理を介して伝送データを取得することができるようにする。これによって、このデータ伝送システムは無線接続の伝送機能を備えることで、電子装置の応用性を拡大させることができる。
【課題を解決するための手段】
【０００５】
本発明は、以下の技術を採用することで上記課題を解決する。
【０００６】
表示パネルと制御ユニットを有し、制御ユニットが表示データと伝送データを受信し、且つ表示データと伝送データを表示パネルに伝送するビジョンインタフェース装置と、キャプチャーユニットを有する操作装置とを備え、前記表示パネルは、アクティブマトリクス表示パネルであるとともに、交差して設置された複数のデータ線と複数の走査線を備え、前記制御ユニットは、前記伝送データを前記アクティブマトリクス表示パネルにおける異なる箇所の走査線に同時に伝送し、前記操作装置を前記ビジョンインタフェース装置に触れたり、近づいたりして操作する時、前記表示データと前記伝送データを有するカップリング信号は前記アクティブマトリクス表示パネルの一箇所の走査線から前記操作装置にカップリングされ、前記操作装置は前記キャプチャーユニットを介して前記カップリング信号から前記伝送データを取得することを特徴とする。
【０００７】
一実施例において、カップリング信号は、少なくとも１つのタグを備え、操作装置はタグによって、伝送データを識別する。
【０００８】
一実施例において、タグは、伝送データの起始点、または終了点、またはデータの長さのうちの少なくとも１つを標示する。
【０００９】
一実施例において、タグは、表示データの起始点、または終了点、またはデータの長さのうちの少なくとも１つを標示する。
【００１０】
一実施例において、タグは、ビジョンインタフェース装置の識別情報、または操作装置の識別情報、またはエラー訂正コードのうちの少なくとも１つを備える。
【００１１】
一実施例において、タグを有する伝送データと表示データの信号形式の差異は、振幅、周波数、位相、時間、帯域幅、またはデータ形式の差異である。
【００１２】
一実施例において、前記キャプチャーユニットは、前記伝送データと前記表示データの周波数、伝送時間、位相、または振幅の差異によって、前記伝送データの取得を行うことを特徴とする。
【００１３】
一実施例において、制御ユニットは、表示データに対してタグを追加、及び／または伝送データに対して他のタグを追加し、キャプチャーユニットは、タグ及び／または他のタグに基づいて、表示データ及び伝送データを区別する。
【発明の効果】
【００１４】
上述の内容から、本発明のデータ伝送システムにおいて、操作装置がビジョンインタフェース装置において操作された時、表示データと伝送データを有するカップリング信号は表示パネルの電極から操作装置にカップリングされ、操作装置はキャプチャーユニットを介してカップリング信号から伝送データを取得することができる。よって、ビジョンインタフェース装置は、画像画面を表示できる以外に、表示データと伝送データを有するカップリング信号を無線カップリングの方式によって、操作装置に伝送することができ、操作装置はキャプチャーユニットを介してカップリング信号から伝送データを取得することができる。これによって、本発明は無線接続の伝送機能を備えることで、電子装置の応用性を拡大させることができる。
【図面の簡単な説明】
【００１５】
【図１】本発明の好ましい実施例に係るデータ伝送システムを示したブロック図である。
【図２】液晶表示パネルにおける隣接する２本の走査線（列電極）と隣接する２本のデータ線（行電極）の信号を示した図である。
【発明を実施するための形態】
【００１６】
以下に、図面を参照しながら、本発明のデータ伝送システムにおける好適な実施例について説明する。このうち同じ構成要素は同じ符号を付して説明する。
【実施例】
【００１７】
図１を参照されたい。図１は、本発明の好ましい実施例におけるデータ伝送システムを示したブロック図である。
【００１８】
図１に示すように、本発明のデータ伝送システムは操作装置１及びビジョンインタフェース装置２を備え、操作装置１とビジョンインタフェース装置２は互に接続されるが、その場合、例えば、電磁カップリング（例えば、コンデンサカップリング、または誘導カップリング）によって、電気的に接続されることで、データ、またはファイルを伝送することができるため、配線を必要としないデータやファイルの伝送であり、したがってまた、無線方式によるデータやファイルの伝送とも言われる。
【００１９】
操作装置１は、例えば、受信装置（例えば、カードリーダ、またはアクセスシステムなど）であり、またはＩＣカード、または携帯電話、または公共情報装置、または販売点（Point Of Sales, POS）装置、または表示用のビジョンインタフェース装置を有する他の電子装置、またあるいはその他の機能を実行できる電子装置である。また、ビジョンインタフェース装置２は、例えば、他の携帯電話、コンピュータ（例えば、タブレットコンピュータ、またはノートパソコン）、他の公共表示看板（public display）、広告看板、電子ホワイトボード、または個人用の携帯情報端末、またはこれらの組合せである。また、操作装置１及びビジョンインタフェース装置２にはそれぞれ処理制御システム、保存システム、または転送システム等のサブ機能システムを設けることができる。ここにおいての「システム」は、ハードウェア、ソフトウェア、またはファームウェア、またはこれらの組合せから構成される。
【００２０】
ビジョンインタフェース装置２は、表示パネル２１と制御ユニット２２を備え、操作装置１はキャプチャーユニット１１を備える。
【００２１】
表示パネル２１は、少なくとも１つの電極２１１を有し、表示パネル２１は、画素マトリックスを有する。画素マトリックスはアクティブマトリクス（active matrix）、またはパッシブマトリクス（passive matrix）であることができる。ここでは、表示パネル２１がアクティブマトリクス表示パネルである場合を例とし、アクティブマトリクス表示パネルは、例えば、液晶表示パネル、有機発光ダイオードパネル、発光ダイオードパネル、電気泳動表示パネル、タッチ表示パネル、またはＭＥＭＳ表示パネル等のマトリックス基板である。液晶表示パネルを例とすると、表示パネル２１は、複数の列電極、複数の行電極、及び複数の画素電極（図示しない）を備えることで画素マトリックスを形成させると同時に、複数の列電極と複数の行電極は交差して設置される。表示パネル２１は、複数のトランジスタ（図示しない）をさらに備え、複数のトランジスタは、それぞれ複数の列電極、複数の行電極、及び複数の画素電極に電気的に接続される。前記複数の列電極を複数の走査線とし、前記複数の行電極を複数のデータ線とすることができるが、当然、前記複数の列電極を複数のデータ線とし、前記複数の行電極を複数の走査線とすることもできる。電極２１１は表示パネル２１の画素マトリックスにおける前記複数の列電極、もしくは前記複数の行電極のうちの少なくとも１つであり、または画素マトリックスから独立した電極（１本、または複数本の電極であることが可能）であるが、これには限定されない。
【００２２】
制御ユニット２２はビジョンインタフェース装置２のコアコントロールアセンブリを備え、例えば、少なくとも１つの中央処理装置（ｃｅｎｔｒａｌ ｐｒｏｃｅｓｓｉｎｇ ｕｎｉｔ, ＣＰＵ）及びメモリを備え、またはその他の制御用のハードウェア、ソフトウェア、もしくはファームウェアを備える。また、制御ユニット２２は駆動ユニット（図１に示されない）を更に備え、駆動ユニットは表示パネル２１を駆動するための回路を備える。液晶表示装置を例とすると、液晶表示パネルを駆動する駆動ユニットはタイミング制御回路（Ｔ-ｃｏｎ）と、データ駆動回路（ｄａｔａ ｄｒｉｖｅｒ）と、走査駆動回路（ｓｃａｎ ｄｒｉｖｅｒ）とを備えることができる。駆動ユニットは１つ、または複数の単独の集積回路（例えば、駆動ＩＣ）であると共に、表示パネル２１に電気的に接続されるか、または一部を単独のものにし、一部を表示パネル２１と統合するか、または表示パネル２１の上（ｄｒｉｖｅｒ ｏｎ ｐａｎｅｌ）に全てを統合させるが、ここでは特に制限しない。ここで言うところの単独、または統合は、駆動ユニットと表示パネルが基板を共用しているかどうかという意味を指す。
【００２３】
制御ユニット２２は表示データＤＤと伝送データＴＤを表示パネル２１に伝送する。ここにおいて、表示データＤＤと伝送データＴＤは駆動ユニットを介して表示パネル２１を駆動する。操作装置１が表示パネル２１に近寄り、または表示パネル２１において操作された時、信号は操作装置１にカップリングすることができる。操作装置１に表示データＤＤと伝送データＴＤを区別させるために、制御ユニット２２はまず、表示データＤＤと伝送データＴＤを予め処理する必要がある。制御ユニット２２の処理方法は、変調、直列−並列変換（series-to-parallel conversion）、コード化、ヘッダファイル（データの大きさ、検査コード、シリアルナンバー、追跡データを含む）の書き込み、或いはその他の処理方法などを含む。表示データＤＤと伝送データＴＤは、それぞれビジョンインタフェース装置２の内部コマンド、または外部コマンドより生成されると同時に、ビジョンインタフェース装置２のメモリから取得するか、または外部装置から伝送されることにより取得することができる。ここでは、特に制限しない。表示データＤＤは表示パネル２１の走査信号とフレーム画面のグレイレベルデータであり、伝送データＴＤはデジタルデータストリーミング、またはデジタルファイルストリーミングであり、且つタッチコントロール情報、コマンド情報、識別情報、取引情報、広告情報、クーポン情報、ファイル情報、またあるいはその他の情報などである。
【００２４】
通常の通信伝送方法と異なる点は、本発明は表示パネル２１の異なる電極を同時に伝送の送信源（多通信ルート）として使用して、データ伝送を行うことができることである。これらの通信ルートは、空間的分離、または変調技術などの方式を利用して、同時にデータを伝送するとともに互いへの妨害を減少させることができる。注意すべきことは、データの直列−並列変換方式は、順に行うか、または交差して行うか、または上記両者の組み合わせによって行うものである。ここでは、表示データＤＤと伝送データＴＤは、異なる目的を持つ２つのデータが表示パネル２１に伝送されることを表すものであり、その信号を表すものではない。液晶表示パネルを例とすると、表示データＤＤは、走査信号及びデータ信号の２つの信号を含むことで、画像画面を表示させる。伝送データＴＤの信号は、走査信号、またはデータ信号から独立したもの、または表示データＤＤの走査信号に併せたもの、またあるいは表示データＤＤのデータ信号に併せたものなどの異なる実施態様を有することができる。
【００２５】
データ線を例とすると、データ線は通常のフレーム画面のデータ信号（表示データＤＤ）を伝送することができる以外に、ここでは、更に伝送データＴＤを伝送することができる。例えば、伝送データＴＤを、周波数がデータ信号（表示データＤＤ）のものより高い信号に変換すると同時に、この伝送データＴＤを表示データＤＤの信号に直接に付加するか、または伝送データＴＤの信号を表示データＤＤの信号の間において交互に伝送させる。例えば、１つのフレームにおける全ての走査線がスキャンを終了した後、そして次のフレームのスキャンが開始する前の期間（フレームとフレームの間の帰線期間）において伝送するか、または、１本の走査線がスキャンを完了し、且つ、次の走査線がスキャンを開始する前に伝送するか、またあるいは、各走査線のスキャン時間内において、表示データＤＤの伝送時間を短縮させると同時に、伝送データＴＤを伝送する前に伝送する、などが可能である。
【００２６】
図２を参照されたい。図２は液晶表示パネルにおいて、隣接する２本の走査線（列電極）と隣接する２本のデータ線（行電極）の信号を示した図である。ここでは、表示のために各列のトランジスタがオンにされると同時に伝送データＴＤを伝送する態様を例とする。注意すべきことは、伝送データＴＤを伝送する時、トランジスタがオンにされたかどうかは必ずしも必要な条件でなく、トランジスタがオフ状態でも、伝送することができる点である。図に示すように、走査線は、それぞれ走査信号を伝送して、順に各列のトランジスタをオンにすることができ、各列のトランジスタがオンとなった時間では、各データ線はそれぞれ伝送データＴＤと表示データＤＤ（グレイスケールデータ）を伝送することができる。
【００２７】
本実施例において、走査線Ｓk-1がその走査信号ＳＳk-1を伝送する時、全てのデータ線は伝送データＴＤk-1（個別のデータ線に伝送される伝送データはＴＤn-1k-1及びＴＤnk-1で示す）を伝送する。走査線Ｓkがその走査信号ＳＳkを伝送する時、全てのデータ線は伝送データＴＤk（個別のデータ線に伝送される伝送データはＴＤn-1k及びＴＤnkで示す）を伝送する。図２においては、伝送データＴＤk-1、ＴＤk（それぞれＴＤn-1k-1、ＴＤnk-1、ＴＤn-1k、ＴＤnkで示す）の電圧レベルと、表示データＤＤk-1、ＤＤk（それぞれＤＤn-1k-1、ＤＤnk-1、ＤＤn-1k、ＤＤnkで示す）の電圧レベルとが異なる態様を図示したが、実施する時は同じ電圧レベル、またはその他の特性を有することもできる。よって、走査線がスキャン信号を伝送する時、データ線はそれぞれ伝送データＴＤを伝送することができる。
【００２８】
説明を補充すべきことは、図２に示した伝送データＴＤn-1k-1、ＴＤnk-1、ＴＤn-1k、ＴＤnkは高レベルの１で表示されているが、当然、低レベルの０で表示することもできる。また、信号の極性による問題を回避するために、伝送データＴＤn-1k-1、ＴＤnk-1、ＴＤn-1k、ＴＤnkの信号は直流成分を含まない交流信号を採用することができる。
【００２９】
上記の方式では、振幅の高低でデジタル信号の１または０を表示するが、周波数の変化により、デジタル信号の１または０を表示することもでき、例えば、単位時間内に、振幅の上下変化が５つであれば、それを１と定義し、その他の場合を０と定義する。あるいはまた、位相の変化により、デジタル信号の１または０を表示し、例えば、一高レベルに一低レベルを加えた位相変化を０と定義し、一低レベルに一高レベルを加えた位相変化を１と定義する。ここでは、変調方式を限定しない。また、隣接する電極による妨害を避けるため、異なる電極の間には、時分割、周波数分割、または符号分割などの技術を採用することができる。
【００３０】
伝送データＴＤは走査線を介して伝送することができる。例えば、画素トランジスタをオンにしないレベルを有する信号などに転換させるか、またはデータ線にも走査線にも属さない電極を介して伝送するか（例えば、単独電極を介して伝送する）、または伝送速度を速めるようにデータ線と走査線で同時に伝送するか、またあるいは、伝送データＴＤを２つの信号に変換し（例えば、一方を正信号に、他方を負信号に変換する）、この２つの信号を同時に異なる電極（例えばデータ線、または走査線）に伝送することで、信号の振幅を下げる。また、画素マトリックスの列電極、または行電極を利用して伝送データＴＤを伝送する時、伝送データＴＤは、ビジョンインタフェース装置２の表示データＤＤと異なる時間に分けて伝送することができ、例えば、１フレーム画面の伝送が終了した後、または１フレーム画面の伝送が開始する前に伝送する。つまり、ビジョンインタフェース装置２は、１つのフレーム（frame）画面が終了した後且つ次のフレーム画面が開始する前に、または１つのフレーム画面の表示期間に、カップリング信号ＣＳを操作装置１に伝送させる。注意すべきことは、画素マトリックス外にある単独電極を利用して伝送データＴＤの伝送を行う場合、フレーム画面の伝送時間と合わせなくても良いという点である。
【００３１】
図１を再度参照されたい。操作装置１がビジョンインタフェース装置２において操作された時、表示データＤＤと伝送データＴＤを有するカップリング信号ＣＳは表示パネル２１の電極から操作装置１にカップリング（例えば、コンデンサカップリング、または誘導カップリング）される。操作装置１がカップリング信号ＣＳを受信した後、操作装置１の内部に設けたキャプチャーユニット１１を介してカップリング信号ＣＳから伝送データＴＤを取得することで、データ、またはファイルの伝送を完成させることができる。ここでは、カップリングは無線方式によって、デジタル情報（即ち、０または１である）をビジョンインタフェース装置２から操作装置１に伝送する。操作装置１が表示パネル２１から伝送されたカップリング信号ＣＳを受信する時、操作装置１は、受信したカップリング信号ＣＳを処理することで、伝送された情報を得ることができる。データを受信する方式は、操作装置１をビジョンインタフェース装置２の表示パネル２１の表示面に近づかせるか、または接触させることで、カップリング信号ＣＳを電磁作用によって操作装置１にカップリングさせる。
【００３２】
操作装置１内のキャプチャーユニット１１にカップリング信号ＣＳから伝送データＴＤを取得させるために、制御ユニット２２は表示データＤＤと伝送データＴＤの両方またはいずれかに少なくとも１つのタグを追加し、カップリング信号ＣＳ内にこのタグを含ませることによって、操作装置１のキャプチャーユニット１１に伝送データＴＤを識別して取得させる。つまり、制御ユニット２２が表示データＤＤのみに１つのタグを追加し、キャプチャーユニット１１に表示データＤＤを識別させることで伝送データＴＤを取得させる。または、制御ユニット２２が伝送データＴＤに１つのタグを追加し、キャプチャーユニット１１に伝送データＴＤを識別させることで伝送データＴＤを取得させる。またあるいは、制御ユニット２２が表示データＤＤと伝送データＴＤに対して異なるタグをそれぞれ追加することで、キャプチャーユニット１１に異なるタグに基づいて、表示データＤＤと伝送データＴＤを区別させて伝送データＴＤを取得させる。ここにおいて、制御ユニット２２が追加したタグは少なくとも１つの伝送タグ、またはデータタグを含む（伝送タグとデータタグのうちの少なくとも一方を有する）ことができる。伝送タグは、異なる変調方式で表示データＤＤと伝送データＴＤを処理するものであり、例えば、表示データＤＤとは異なる周波数、振幅または位相によって、伝送データＴＤを伝送する。また、データタグとは、データの中に特殊のタグを追加して、伝送データＴＤの起始点、または終了点、またはデータの長さなどの情報を標示することで、キャプチャーユニット１１にカップリング信号ＣＳのどの部分が表示用の表示データＤＤであるのか、どの部分が伝送用の伝送データＴＤであるのかを区別させるためのものである。データタグは、例えば、表示データＤＤの起始点、終了点（データの長さが固定している場合は、起始点のみを知れば良い）、もしくはデータの長さ、または伝送データＴＤの起始点、終了点（データの長さが固定している場合は、起始点のみを知れば良い）、もしくはデータの長さなどを標示することができる。また、タグは、ビジョンインタフェース装置２の識別情報（例えば、メーカ、シリアル番号、名称など）、または操作装置１の識別情報、またはエラー訂正コードのうちの少なくとも１つ、またあるいはそれらの任意の組み合わせ［エラー訂正コードは、例えば、チェックサム（ｃｈｅｃｋ ｓｕｍ）であり、チェックサムは、データが伝送される過程において、このデータに破損があるかどうかを検証するために用いられ、エラー時には再送信を要求することができる］などをさらに含むことが可能である。よって、キャプチャーユニット１１はこのタグに基づいて伝送データＴＤを取得することができる。タグを有する伝送データＴＤ及び／または表示データＤＤの信号形式の差異は、振幅、周波数、位相、時間、帯域幅、またはデータ形式の差異である。
【００３３】
例えば、伝送タグの処理方式として、本発明のデータ伝送システムは異なる周波数（例えば、表示データＤＤの走査線周波数の４倍のもので伝送データＴＤを変調する）、振幅、または位相（例えば、連続するフレームにおいて、表示データＤＤの極性が反転したものであり、伝送データＴＤの極性が非反転のものである）で表示データＤＤと伝送データＴＤを伝送することによって、操作装置１のキャプチャーユニット１１がこれに基づいて伝送データＴＤを取得することができる。または、データタグの処理方式として、ある期間内に生じた特定の振幅、周波数、バンド幅、または特殊なコードによって、伝送データＴＤ、または表示データＤＤの位置を区別し、例えば、特大な振幅信号を表示データＤＤ、または伝送データＴＤの起始点（または同期信号）とすることで、キャプチャーユニット１１に表示データＤＤ、または伝送データＴＤを識別して取得させることができる。キャプチャーユニット１１は、振幅の大きさ、周波数領域信号（例えば、表示データＤＤとは異なる特定の周波数信号の有無）、時間領域（例えば、伝送データＴＤを各フレームの表示データＤＤの後に、または各走査線の間に伝送させる）、バンド幅（例えば、伝送データＴＤのバンド幅が表示データＤＤのスキャン時間の２分の１である場合）、または特殊なコード（例えば、伝送データＴＤの起始点はデジタルデータの「０１０」であると同時に、各伝送データの幅はスキャン時間の３分の１である場合）などによって、伝送データＴＤの識別及び取得を行うことができる。注意すべきことは、上記のように、タグを使用して表示データＤＤと伝送データＴＤを区別することができる以外に、本発明のタグは、例えば、受信者、送信者、データの長さ、またはエラー訂正コードなどの情報を伝送することによって、伝送データＴＤ及びその正確性を区別または識別することも可能である。
【００３４】
従って、ユーザが操作装置１を持って、ビジョンインタフェース装置２の表示パネル２１において操作装置１を操作すると（例えば、表示パネル２１に触れたり、または表示パネル２１に近づいたりする）、カップリング信号ＣＳは表示パネル２１の表示面からコンデンサカップリング、または誘導カップリングによって操作装置１にカップリングされ、キャプチャーユニット１１のキャプチャー処理によって伝送データＴＤを取得することができる。更に例を挙げると、操作装置１がアクセス制御ユニットである場合、ビジョンインタフェース装置２の表示面に操作装置１を近づかせて操作する時、操作装置１にビジョンインタフェース装置２から伝送されたドアオープンまたはドアロックの情報を受信させることで、アクセス制御、またはロックを解除することができる。また、ビジョンインタフェース装置２がパブリックディスプレイであり、操作装置１が携帯電話、またはその他の個人用デバイスである場合、操作装置１をビジョンインタフェース装置２の表示面に近づけたりすることにより、広告情報、特恵情報、地理情報などの情報を個人用デバイスに送信させて持ち帰ることができる。
【産業上の利用可能性】
【００３５】
上述の内容から、本発明のデータ伝送システムにおいて、操作装置がビジョンインタフェース装置において操作された時、表示データと伝送データを有するカップリング信号は表示パネルの電極から操作装置にカップリングされ、操作装置はキャプチャーユニットを介してカップリング信号から伝送データを取得することができる。よって、ビジョンインタフェース装置は、画像画面を表示できる以外に、表示データと伝送データを有するカップリング信号を無線カップリングの方式によって、操作装置に伝送することができ、操作装置はキャプチャーユニットを介してカップリング信号から伝送データを取得することができる。これによって、本発明は無線接続の伝送機能を備えることで、電子装置の応用性を拡大させることができる。
【００３６】
上記実施例は例示的なものであって、限定するためのものではない。本発明の技術的思想および範囲から逸脱することなく行われる等価の修正または変更は、いずれも別紙の特許請求の範囲に含まれる。
【符号の説明】
【００３７】
１：操作装置
１１：キャプチャーユニット
２：ビジョンインタフェース装置
２１：表示パネル
２１１：電極
２２：制御ユニット
ＣＳ：カップリング信号
ＤＤ、ＤＤn-1k、ＤＤn-1k-1、ＤＤnk、ＤＤnk-1：表示データ
Ｄn、Ｄn-1：データ線
Ｓk、Ｓk-1：走査線
ＳＳk、ＳＳk-1：走査信号
ＴＤ、ＴＤn-1k、ＴＤn-1k-1、ＴＤnk、ＴＤnk-1：伝送データ
【図１】
0006034502.tif 000002
【図２】
0006034502.tif 000003